(57)【特許請求の範囲】
【請求項１】
第一の電気接合物とその略横方向に位置する第二の電気接合物とを電気的に接続する電子機器の圧接型コネクタであって、
第一の電気接合物に取り付けられる絶縁性のハウジングと、このハウジングに取り付けられて第一、第二の電気接合物の間を電気的に接続する複数の導電ピンとを含み、
ハウジングを平面矩形に形成してその底部後方には複数の導電ピン用の収納溝孔を左右両側部方向に並べて形成し、ハウジングの両側部に座ぐり溝孔をそれぞれ形成して各座ぐり溝孔には第一の電気接合物に設けられる補強金具を挿入するとともに、各座ぐり溝孔の側面に、ハウジングの表面寄りに位置する段差受け部を形成し、補強金具の端部には、座ぐり溝孔の段差受け部に接触する抜け止め突片を形成し、
各導電ピンを、ハウジングに後方から挿入されて収納溝孔から一部露出し、この露出部分が第一の電気接合物の導体部に導通する略筒形の導電トーピンと、この導電トーピンに接触状態でスライド可能に挿入されてハウジングの前部から突出する導電ヘッドピンと、これら導電トーピンと導電ヘッドピンとの間に介在されて導電ヘッドピンを第二の電気接合物の導体部に押し付けるバネ部材とから構成し、導電トーピンの外周面に、ハウジングの収納溝孔に密接する導電性のガイドを形成し、このガイドの底部を略平坦化して第一の電気接合物の導体部に接触させるようにしたことを特徴とする電子機器の圧接型コネクタ。
【請求項２】
第一の電気接合物を携帯電話内の回路基板とし、第二の電気接合物を携帯電話のバッテリとした請求項１記載の電子機器の圧接型コネクタ。
【請求項３】
補強金具を断面略Ｌ字形に形成し、この補強金具の長い非屈曲板の端部に、座ぐり溝孔の段差受け部に接触する抜け止め突片を形成した請求項１又は２記載の電子機器の圧接型コネクタ。
【請求項４】
補強金具の長い非屈曲板に、座ぐり溝孔の側面に圧接する抜け止め圧接片を形成した請求項１、２、又は３記載の電子機器の圧接型コネクタ。
【請求項５】
第一の電気接合物とその略横方向に位置する第二の電気接合物との間に、請求項１ないし４いずれかに記載の電子機器の圧接型コネクタを介在して電気的に接続するようにしたことを特徴とする電子機器の圧接型コネクタの接続構造。
【発明の詳細な説明】
【技術分野】
【０００１】
本発明は、薄型化が要求される携帯電話等からなる電子機器の圧接型コネクタ及びその接続構造に関するものである。
【背景技術】
【０００２】
従来、図５に示す携帯電話１に内蔵された回路基板と交換可能なバッテリ４等とを電気的に接続する場合には、上下方向（厚さ方向）において相対向する回路基板とバッテリ４等とに圧接型コネクタのハウジングを挟持させ、このハウジングに、回路基板とバッテリ４等のランドを電気的に接続する複数の導電ピンを並設するようにしている（特許文献１参照）。
【特許文献１】特開２００２‐３２９５４０号公報
【発明の開示】
【発明が解決しようとする課題】
【０００３】
従来における電子機器の圧接型コネクタは、以上のように優れた構造に構成されるが、回路基板とバッテリ４等とを上下方向において相対向させるので、上下方向に回路基板あるいはバッテリ４等の嵩張る配置スペースを必要とし、近年の携帯電話１のさらなる薄型化や小型化を図るには限界がある。
【０００４】
本発明は上記に鑑みなされたもので、電子機器の薄型化や小型化に資することのできる電子機器の圧接型コネクタ及びその接続構造を提供することを目的としている。
【課題を解決するための手段】
【０００５】
本発明においては上記課題を解決するため、第一の電気接合物とその略横方向に位置する第二の電気接合物とを電気的に接続するものであって、
第一の電気接合物に取り付けられる絶縁性のハウジングと、このハウジングに取り付けられて第一、第二の電気接合物の間を電気的に接続する複数の導電ピンとを含み、
ハウジングを平面矩形に形成してその底部後方には複数の導電ピン用の収納溝孔を左右両側部方向に並べて形成し、ハウジングの両側部に座ぐり溝孔をそれぞれ形成して各座ぐり溝孔には第一の電気接合物に設けられる補強金具を挿入するとともに、各座ぐり溝孔の側面に、ハウジングの表面寄りに位置する段差受け部を形成し、補強金具の端部には、座ぐり溝孔の段差受け部に接触する抜け止め突片を形成し、
各導電ピンを、ハウジングに後方から挿入されて収納溝孔から一部露出し、この露出部分が第一の電気接合物の導体部に導通する略筒形の導電トーピンと、この導電トーピンに接触状態でスライド可能に挿入されてハウジングの前部から突出する導電ヘッドピンと、これら導電トーピンと導電ヘッドピンとの間に介在されて導電ヘッドピンを第二の電気接合物の導体部に押し付けるバネ部材とから構成し、導電トーピンの外周面に、ハウジングの収納溝孔に密接する導電性のガイドを形成し、このガイドの底部を略平坦化して第一の電気接合物の導体部に接触させるようにしたことを特徴としている。
【０００６】
なお、第一の電気接合物を携帯電話内の回路基板とし、第二の電気接合物を携帯電話のバッテリとすることができる。
また、補強金具を断面略Ｌ字形に形成し、この補強金具の非屈曲板の端部に、座ぐり溝孔の段差受け部に接触する抜け止め突片を形成することができる。
また、補強金具の非屈曲板に、座ぐり溝孔の側面に圧接する抜け止め圧接片を形成することもできる。
【０００９】
また、本発明においては上記課題を解決するため、第一の電気接合物とその略横方向に位置する第二の電気接合物との間に、請求項１ないし４いずれかに記載の電子機器の圧接型コネクタを介在して電気的に接続するようにしたことを特徴としている。
【００１０】
ここで、特許請求の範囲における第一、第二の電気接合物としては、各種の回路基板、バッテリ、回路部品等があげられる。略横方向は、おおよそ横方向であれば、前後左右のいずれの方向でも良い。また、補強金具は、断面略Ｌ字形やストレート形等に形成され、第一の電気接合物にハンダ付けで接着されたり、圧入される。バネ部材は、一般的なコイルバネが主ではあるが、他種類のバネでも良い。さらに、電子機器には、少なくとも薄型化が要求される携帯電話（ＰＨＳを含む）、ＰＤＡ等の情報端末機器、携帯型ゲーム機等が含まれる。
【００１１】
本発明によれば、電子機器の第一、第二の接合物を電気的に接続する場合には、第一の接合物の導体部に圧接型コネクタの導電ピンを実装し、略横方向に位置する第二の接合物の導体部に圧接型コネクタの導電ピンを接触させれば、電子機器の第一、第二の接合物を電気的に接続することができる。また、座ぐり溝孔の段差受け部と各種形状を呈する補強金具の抜け止め突片とが干渉し合うので、例え電子機器やハウジングに外力が作用しても、ハウジングと補強金具とが簡単に外れて分離することが少ない。
【発明の効果】
【００１２】
本発明によれば、電子機器の薄型化や小型化に資することができるという優れた効果がある。また、各座ぐり溝孔の側面に、ハウジングの表面寄りに位置する段差受け部を形成し、補強金具の端部には、座ぐり溝孔の段差受け部に接触する抜け止め突片を形成すれば、例え電子機器が落下してハウジングに外力が作用しても、ハウジングと補強金具とが分離するのを抑制することができる。また、導電トーピンの外周面に、ハウジングの収納溝孔に密接する導電性のガイドを形成するので、導電ピンを良好に位置決めすることが可能になる。
【００１３】
また、第一の電気接合物を携帯電話内の回路基板とし、第二の電気接合物を携帯電話のバッテリとすれば、携帯電話の薄型化や小型化に資することができる。
また、座ぐり溝孔の側面に補強金具の抜け止め圧接片が圧接すれば、補強金具の挿入の容易化と抜けにく性とを向上させることができる。
【発明を実施するための最良の形態】
【００１４】
以下、図面を参照して本発明の好ましい実施の形態を説明すると、本実施形態における電子機器の圧接型コネクタは、図１ないし図５に示すように、携帯電話１内の回路基板２に実装されてその横方向に位置するバッテリ４に対向するブロック形のハウジング１０と、このハウジング１０に並べて挿着され、回路基板２とバッテリ４との間を電気的に接続する複数の導電ピン２０とを備えるようにしている。
【００１５】
携帯電話１内の回路基板２は、図１に示すように、例えば可撓性のフレキシブル回路基板や小型のプリント回路基板からなり、表面に導体部である複数の配線ライン、ノイズ対策用のアース部、ランド３等がそれぞれスクリーン印刷等されており、携帯電話１の裏面側に位置する。
【００１６】
バッテリ４は、図１や図５に示すように、例えばリチウムイオンタイプ等からなり、携帯電話１の裏面後部を着脱自在に構成して回路基板２の前後左右のいずれかに位置しており、圧接型コネクタに対向する対向面、具体的には、圧接型コネクタのハウジング１０や複数の導電ピン２０に対向する対向面に、導体部である複数のランド５等が並べて形成される。
【００１７】
ハウジング１０は、図２ないし図４に示すように、例えばＡＢＳ樹脂、変性ポリアミド、ポリカーボネート、ポリプロピレン、ポリエチレン等を含む成形材料を使用して絶縁性を有する横長の平面矩形に成形され、底部後方には、複数の導電ピン２０を収納する複数の収納溝孔１１が左右横方向に一列に並設されており、携帯電話１の液晶側に位置する。このハウジング１０の左右両側面には側面視略矩形の座ぐり溝孔１２がそれぞれ形成され、各座ぐり溝孔１２には、回路基板２の非実装用のランドにハンダを介して接着される補強金具１４が図２の矢印方向から圧入して挿着される。
【００１８】
各座ぐり溝孔１２は、図２や図３に示すように、ハウジング１０の表裏厚さ方向に伸びる横断面略凸字形に切り欠き形成され、相対向する両側面の端部には、ハウジング１０の表面側に位置する段差受け部１３がハウジング１０の前後方向にそれぞれ幅広に一体形成される。
【００１９】
各補強金具１４は、図２や図３に示すように、アルミニウムや銅等を使用してハンダ付けされる短い屈曲板１５から非屈曲板１６が長く伸びる断面略Ｌ字形に屈曲形成され、座ぐり溝孔１２に嵌合する非屈曲板１６の端部両側には、座ぐり溝孔１２上方の段差受け部１３に係合接触する幅広の抜け止め突片１７がそれぞれ突出形成されており、非屈曲板１６の略中央部両側には、座ぐり溝孔１２の側面内に圧接する抜け止め圧接片１８がそれぞれ突出形成される。
【００２０】
補強金具１４の抜け止め圧接片１８は、図３に示すように、座ぐり溝孔１２に圧入された補強金具１４を抜けにくくする観点から、逆テーパ形や台形等の抜けにくい形状に適宜形成される。このような補強金具１４は、アンカーパッドとして回路基板２の非実装用のランドに屈曲板１５がハンダにより強固に接着される。
【００２１】
各導電ピン２０は、図２や図４に示すように、ハウジング１０に後方から圧入固定されて収納溝孔１１から一部露出し、この一部露出した部分が回路基板２のランド３に導通する筒形の導電トーピン２１と、この導電トーピン２１に接触状態でスライド可能に挿入されてハウジング１０の前面からプランジャとして貫通突出する導電ヘッドピン２４と、これら導電トーピン２１と導電ヘッドピン２４との間に介在されて導電ヘッドピン２４をバッテリ４のランド５に弾圧付勢する導電性のコイルバネとを備えて構成される。
【００２２】
導電トーピン２１や導電ヘッドピン２４は、例えばニッケルメッキや金メッキ等が施されたアルミニウム、銅、真鍮等からなる導電性の材料を使用して形成される。導電トーピン２１は、円筒形に形成され、収納溝孔１１に隙間を介し遊嵌されており、閉じた底部の中心には、メッキ厚を向上させるメッキ処理用の小径孔２２が貫通して穿孔される。
【００２３】
導電トーピン２１の外周面周方向には、ハウジング１０の収納溝孔１１内に密接する略リング形のガイド２３が一体的に周設され、このガイド２３の底部や両側部が直線的に切り欠かれて略平坦化されるとともに、この平坦なガイド２３の底部とハウジング１０側の導電トーピン２１とが回路基板２のランド３にハンダを介して導通する。ガイド２３は、導電トーピン２１や導電ヘッドピン２４同様、例えばニッケルメッキや金メッキ等が施されたアルミニウム、銅、真鍮等からなる導電性の材料を使用して形成される。
【００２４】
導電ヘッドピン２４は、図２や図４に示すように、細長い中実の断面略凸字形に形成され、コイルバネに接触する末端部が低抵抗化の観点から軸方向に対して３°〜３０°程傾斜形成されており、バッテリ４のランド５に接触する先端部２６が縮径の略ラウンド形に形成される。さらに、コイルバネは、例えばニッケルメッキ等が施された真鍮等からなる導電性の材料を使用して巻装形成され、バネ部材として導電トーピン２１内に接触状態で嵌入される。
【００２５】
上記構成において、携帯電話１の回路基板２とバッテリ４とを電気的に接続する場合には、回路基板２の非実装用のランド上に圧接型コネクタのハウジング１０を補強金具１４を介して実装するとともに、回路基板２の複数のランド３上に圧接型コネクタの導電トーピン２１、及びガイド２３の底部をハンダを介しそれぞれ実装し、横方向に位置するバッテリ４の複数のランド５に圧接型コネクタの導電ヘッドピン２４をコイルバネによりそれぞれ圧接すれば、携帯電話１の回路基板２とバッテリ４とを電気的に接続することができる。
【００２６】
上記構成によれば、回路基板２とバッテリ４とを上下方向において相対向させるのではなく、寝かせた水平横方向において相対向させるので、上下方向に回路基板２あるいはバッテリ４の嵩張る配置スペースを何ら必要としない。したがって、近年要求されている携帯電話１のさらなる薄型化や小型化に大いに資することができる。また、配置方向の変更に伴い、圧接型コネクタの導電ヘッドピン２４のストロークをも適切な長さに変更することができる。
【００２７】
また、ハウジング１０の前部がスライドする導電ヘッドピン２４を適正にガイドするので、導電ヘッドピン２４の傾斜や倒れをきわめて有効に規制することができる。また、導電トーピン２１の開口端部を内方向にかしめる必要がないので、導電ヘッドピン２４の傾斜や倒れをきわめて有効に規制することが可能になる。また、ハウジング１０の各収納溝孔１１に導電トーピン２１のガイド２３が密接するので、導電ピン２０の位置ずれや傾き防止が大いに期待できる。
【００２８】
また、座ぐり溝孔１２の段差受け部１３に補強金具１４の抜け止め突片１７が係合して相互に干渉し合うので、例え携帯電話１が図１の矢印方向に落下してハウジング１０に図３の矢印で示す外力が作用しても、ハウジング１０と補強金具１４とが外れて分離するのを有効に防止することが可能になる。さらに、座ぐり溝孔１２に補強金具１４が単に接触するのではなく、座ぐり溝孔１２の側面に逆テーパ形や台形等の抜け止め圧接片１８が強く圧接するので、補強金具１４の挿入の容易化と抜けにく性とを著しく向上させることができ、これにより、ハウジング１０と補強金具１４との分離防止が大いに期待できる。
【００２９】
なお、本発明に係る電子機器の圧接型コネクタ及びその接続構造は上記実施形態に何ら限定されるものではない。例えば座ぐり溝孔１２の一側面端部に段差受け部１３を形成しても良い。また、補強金具１４の非屈曲板１６の端部一側に抜け止め突片１７を形成したり、非屈曲板１６の一側に抜け止め圧接片１８を形成しても良い。
【００３０】
また、補強金具１４を、断面Ｌ字形ではなく、ストレートのＩ字形に形成してその端部を回路基板２に強固に圧入して取り付けても良い。また、上記実施形態では４本１組の導電ピン２０を示したが、導電ピン２０の数は２本１組、３本１組、５本１組等、適宜増減することができる。さらに、導電トーピン２１は、角筒形等に形成することも可能である。
【図面の簡単な説明】
【００３１】
【図１】本発明に係る電子機器の圧接型コネクタ及びその接続構造の実施形態を模式的に示す説明図である。
【図２】本発明に係る電子機器の圧接型コネクタの実施形態を模式的に示す分解斜視説明図である。
【図３】本発明に係る電子機器の圧接型コネクタの実施形態における座ぐり溝孔や補強金具を模式的に示す要部斜視図である。
【図４】本発明に係る電子機器の圧接型コネクタの実施形態を模式的に示す底部斜視図である。
【図５】携帯電話を模式的に示す斜視説明図である。
【符号の説明】
【００３２】
１        携帯電話（電子機器）
２        回路基板（第一の電気接合物）
３        ランド（導体部）
４        バッテリ（第二の電気接合物）
５        ランド（導体部）
１０      ハウジング
１１      収納溝孔
１２      座ぐり溝孔
１３      段差受け部
１４      補強金具
１５      屈曲板
１６      非屈曲板
１７      抜け止め突片
１８      抜け止め圧接片
２０      導電ピン
２１      導電トーピン
２４      導電ヘッドピン
【図１】
0004950817.tif 000002
【図２】
0004950817.tif 000003
【図３】
0004950817.tif 000004
【図４】
0004950817.tif 000005
【図５】
0004950817.tif 000006